(57)【要約】【課題】  本発明は、多機能携帯電話機が有する放送受信機能に好適なミュート技術を提供する。【解決手段】  携帯電話機１は放送受信機能と撮影機能とを有する。撮影期間中、カメラフロントエンド部６１はカメラクロックをカメラ部６０へ供給する。カメラクロックの高調波成分は放送周波数帯に含まれる。放送受信部５０は放送受信処理部５６から与えられる選局指令によって示される選局周波数の放送信号を受信し、受信された放送信号とそのレベルを示すレベル信号とを出力する。ミュートしきい値テーブル５７は、放送周波数帯に含まれる個々の周波数についてカメラクロックの有無に応じたしきい値を設定するための値を保持している。放送受信処理部５６は前記選局周波数におけるカメラクロックの有無に応じたしきい値を設定し、当該設定されたしきい値と前記レベルとの比較に基づいてミュート指令を発して音声信号をミュートする。【選択図】          図１
2005341407.tif 000002
【特許請求の範囲】
【請求項１】
放送を受信し受信信号レベルに応じて放送音声をミュートする放送受信機能を有する携帯電話機であって、
前記放送に用いられる周波数帯に含まれる雑音を断続的に発生する雑音源と、
当該雑音の停止期間には第１のしきい値を設定し、当該雑音の発生期間には当該第１のしきい値よりも大きい第２のしきい値を設定する設定手段と、
受信信号レベルと前記設定されるしきい値との比較に基づいて放送音声をミュートするミュート手段と
を備えることを特徴とする携帯電話機。
【請求項２】
前記設定手段は、前記放送に用いられる周波数帯に含まれる複数の周波数についてそれぞれ、第１のしきい値と第２のしきい値とを設定し、
前記ミュート手段は、現在の選局周波数における受信信号レベルと、当該選局周波数について設定されるしきい値との比較に基づいて放送音声をミュートする
ことを特徴とする請求項１に記載の携帯電話機。
【請求項３】
前記設定手段は、各周波数について、その周波数における前記雑音のレベルを第１のしきい値に加えた値を第２のしきい値として設定する
ことを特徴とする請求項２に記載の携帯電話機。
【請求項４】
前記携帯電話機は、さらに、
現在の選局周波数における受信信号レベルと当該選局周波数について設定されるしきい値とを比較し、所定の比較結果が得られるまで現在の選局周波数を順次変更する局サーチ手段
を備えることを特徴とする請求項２又は３に記載の携帯電話機。
【請求項５】
前記雑音源は、無線通信用の局部発振器、及び前記携帯電話機に備えられるカメラユニット、液晶表示器、メモリカード、ＵＳＢ(Universal Serial Bus)、ボイスレコーダの少なくとも一つを駆動するためのクロック生成器である
ことを特徴とする請求項１乃至４に記載の携帯電話機。
【請求項６】
放送を受信し受信信号レベルに応じて放送音声をミュートする放送受信機能を有する携帯電話機の制御方法であって
前記携帯電話機は前記放送に用いられる周波数帯に含まれる雑音を断続的に発生する雑音源を備え、
当該雑音の停止期間には第１のしきい値を設定し、当該雑音の発生期間には当該第１のしきい値よりも大きい第２のしきい値を設定する設定ステップと、
受信信号レベルと前記設定されるしきい値との比較に基づいて放送音声をミュートするミュートステップと
を含むことを特徴とする制御方法。
【請求項７】
前記設定ステップは、前記放送に用いられる周波数帯に含まれる複数の周波数についてそれぞれ、第１のしきい値と第２のしきい値とを設定し、
前記ミュートステップは、現在の選局周波数における受信信号レベルと、当該選局周波数について設定されるしきい値との比較に基づいて放送音声をミュートする
ことを特徴とする請求項６に記載の制御方法。
【請求項８】
前記設定ステップは、各周波数について、その周波数における雑音のレベルを第１のしきい値に加えた値を第２のしきい値として設定する
ことを特徴とする請求項７に記載の制御方法。
【請求項９】
前記制御方法は、さらに、
現在の選局周波数における受信信号レベルと当該選局周波数について設定されるしきい値とを比較し、所定の比較結果が得られるまで現在の選局周波数を順次変更する局サーチステップ
を含むことを特徴とする請求項７又は８に記載の制御方法。
【請求項１０】
放送を受信し受信信号レベルに応じて放送音声をミュートする放送受信機能を有する携帯電話機を制御するためのコンピュータ実行可能なプログラムであって、
前記携帯電話機は前記放送に用いられる周波数帯に含まれる雑音を断続的に発生する雑音源を備え、
請求項６乃至請求項９の少なくとも一つに記載のステップをコンピュータに実行させる
ことを特徴とするプログラム。
【発明の詳細な説明】
【技術分野】
【０００１】
本発明は、放送受信機能を有する携帯電話機に関し、特に、放送音声のミュート機能に関する。
【背景技術】
【０００２】
近年、ユーザの多様なニーズに応えるべく、本来の通話機能に加えて放送受信機能や撮影機能といった様々な機能を付加した携帯電話機（以降、多機能携帯電話機と言う）が実用化されている。ユーザは、そのような付加機能にももちろん良好な使用感を期待する。放送受信機能について言えば、ユーザに良好な使用感を与えるために、例えばミュート機能が用いられる。
【０００３】
ミュート機能は、受信信号レベルが所定のしきい値に達しない場合に放送音声の出力を止めることによって局間ノイズを抑えて聴感を向上させる機能であり、例えばＦＭ放送受信機等に従来から一般的に用いられている周知技術である。このようなミュート機能を制御するための回路の一例が、例えば特許文献１に開示されている。
【特許文献１】特開平１０−２４２８７７号公報
【発明の開示】
【発明が解決しようとする課題】
【０００４】
しかしながら、上記従来のミュート技術を、放送受信機能を付加機能の一つとする多機能携帯電話機に適用した場合、所期の効果が得られない場合がある。
多機能携帯電話機においては、本来的な無線通信のための局発信号に加えて、個々の付加機能に関係する様々なクロックが内部的に用いられる。例えば、撮影機能を使用する場合には、カメラユニットを駆動するためのカメラクロックが用いられる。そのような局発信号やクロック信号がミュート機能を損なう一因になり得る。
【０００５】
例えば、撮影機能を使用しながら放送を聴く場合、カメラクロックやその高調波が受信信号に加重されることによって受信信号レベルがしきい値を上回ることがある。そうなると、ミュートが解除されてカメラクロックが雑音として発せられることになり、聴感が大きく損なわれる。
上記の問題に鑑み、本発明は、多機能携帯電話機が有する放送受信機能に好適なミュート技術、及び当該技術を用いた放送受信機能付き携帯電話機を提供することを目的とする。
【課題を解決するための手段】
【０００６】
上記問題を解決するため、本発明の携帯電話機は、放送を受信し受信信号レベルに応じて放送音声をミュートする放送受信機能を有する携帯電話機であって、前記放送に用いられる周波数帯に含まれる雑音を断続的に発生する雑音源と、当該雑音の停止期間には第１のしきい値を設定し、当該雑音の発生期間には当該第１のしきい値よりも大きい第２のしきい値を設定する設定手段と、受信信号レベルと前記設定されるしきい値との比較に基づいて放送音声をミュートするミュート手段とを備える。
また、前記雑音源は、無線通信用の局部発振器、及び前記携帯電話機に備えられるカメラユニット、液晶表示器、メモリカード、ＵＳＢ(Universal Serial Bus)、ボイスレコーダの少なくとも一つを駆動するためのクロック生成器であるとしてもよい。
【発明の効果】
【０００７】
この構成によれば、雑音の停止期間と発声期間とでミュート用のしきい値が変更されるので、雑音の停止期間には通常に放送を聴取可能とし、発生期間には前記雑音をミュートすることにより、常に良好な使用感をユーザに提供できる。
また、前記設定手段は、前記放送に用いられる周波数帯に含まれる複数の周波数についてそれぞれ、第１のしきい値と第２のしきい値とを設定し、前記ミュート手段は、現在の選局周波数における受信信号レベルと、当該選局周波数について設定されるしきい値との比較に基づいて放送音声をミュートしてもよい。
【０００８】
また、前記設定手段は、各周波数について、その周波数における前記雑音のレベルを第１のしきい値に加えた値を第２のしきい値として設定してもよい。
この構成によれば、前記雑音の周波数特性に応じて、選局周波数ごとに最適なしきい値を用いてミュートを制御することにより、良好な使用感をユーザに提供できる。
また、前記携帯電話機は、さらに、現在の選局周波数における受信信号レベルと当該選局周波数について設定されるしきい値とを比較し、所定の比較結果が得られるまで現在の選局周波数を順次変更する局サーチ手段を備えてもよい。
【０００９】
この構成によれば、前述と同様の作用によって局サーチ機能の使用感を向上できる。
上記問題を解決するため、本発明の制御方法は、放送を受信し受信信号レベルに応じて放送音声をミュートする放送受信機能を有する携帯電話機の制御方法であって前記携帯電話機は前記放送に用いられる周波数帯に含まれる雑音を断続的に発生する雑音源を備え、当該雑音の停止期間には第１のしきい値を設定し、当該雑音の発生期間には当該第１のしきい値よりも大きい第２のしきい値を設定する設定ステップと、受信信号レベルと前記設定されるしきい値との比較に基づいて放送音声をミュートするミュートステップとを含む。
【００１０】
また、前記設定ステップは、前記放送に用いられる周波数帯に含まれる複数の周波数についてそれぞれ、第１のしきい値と第２のしきい値とを設定し、前記ミュートステップは、現在の選局周波数における受信信号レベルと、当該選局周波数について設定されるしきい値との比較に基づいて放送音声をミュートしてもよい。
また、前記設定ステップは、各周波数について、その周波数における雑音のレベルを第１のしきい値に加えた値を第２のしきい値として設定してもよい。
【００１１】
また、前記制御方法は、さらに、現在の選局周波数における受信信号レベルと当該選局周波数について設定されるしきい値とを比較し、所定の比較結果が得られるまで現在の選局周波数を順次変更する局サーチステップを含んでもよい。
これらの方法に従って携帯電話機を制御することによって、前述と同様の効果が得られる。
【００１２】
上記問題を解決するため、本発明のプログラムは、放送を受信し受信信号レベルに応じて放送音声をミュートする放送受信機能を有する携帯電話機を制御するためのコンピュータ実行可能なプログラムであって、前記携帯電話機は前記放送に用いられる周波数帯に含まれる雑音を断続的に発生する雑音源を備え、請求項６乃至請求項９の少なくとも一つに記載のステップをコンピュータに実行させる。
【００１３】
このプログラムを用いて携帯電話機を制御することによって、前述と同様の効果が得られる。
【発明を実施するための最良の形態】
【００１４】
本発明の実施の形態に係る携帯電話機は、少なくとも放送受信機能及び撮影機能を有する多機能携帯電話機である。
本携帯電話機は、撮影モードにある期間にのみ、カメラ部を動作させるためのカメラクロックを内部的に生成する。前記カメラクロックの高調波は放送周波数帯に含まれるものとする。本携帯電話機は、前記カメラクロックの停止期間と動作期間とでそれぞれ、前記高調波の周波数に適用されるミュート用のしきい値に異なる値を設定する。
【００１５】
例えば、当該カメラクロックの停止期間における第１のしきい値を実用的な聴取が可能な最低の受信信号レベルに設定し、動作期間における第２のしきい値を第１のしきい値に前記高調波のレベルを加えた値に設定する。これにより、当該カメラクロックの停止期間には通常に放送を聴取可能とし、動作期間には前記高調波による雑音をミュートして、良好な使用感をユーザに提供する。
【００１６】
以下、本携帯電話機について、図面を参照しながら詳細に説明する。
＜全体構成＞
図１は、携帯電話機１の全体構成を示す機能ブロック図である。
携帯電話機１は、アンテナ１０、デュプレクサ１１、１２、無線受信部２０、無線送信部３０、パワーアンプ３１、ベースバンド処理部４０、放送受信部５０、撮像素子６０、カメラフロントエンド部６１、レシーバ８１、マイク８２、スピーカ８３、表示部８４、操作部８５、及びメモリカード８６から構成される。
【００１７】
ベースバンド処理部４０は、Ａ／Ｄコンバータ４１〜４３、Ｄ／Ａコンバータ４４、通信処理部４５、音声処理部４６、放送受信処理部５６、ミュートしきい値テーブル５７、ミュートレジスタ５８、選局周波数レジスタ５９、画像処理部６２、制御部７０から構成される。
ベースバンド処理部４０は、例えば、Ａ／Ｄコンバータ４１〜４３、Ｄ／Ａコンバータ４４の他に、ＣＰＵ（Central Processing Unit）、ＤＳＰ（Digital Signal Processor）、作業用メモリ、及び不揮発性メモリ等から構成されるＩＣ（Integrated Circuit）チップであるとしてもよい。その場合、通信処理部４５、音声処理部４６、放送受信処理部５６、画像処理部６２、及び制御部７０は、前記不揮発性メモリに保持され、それぞれの機能を実現するために前記ＣＰＵ及びＤＳＰによって実行されるプログラムモジュールである。そして、ミュートしきい値テーブル５７は前記不揮発性メモリに設けられ、ミュートレジスタ５８、選局周波数レジスタ５９は前記作業用メモリに設けられる。
【００１８】
放送受信部５０は、ローノイズアンプ５１、可変周波数発振器５２、ミキサ５３、検波部５４、及びレベル検出部５５から構成される。
放送受信部５０は、例えば、これらの回路が形成されたＩＣチップであるとしてもよい。そのようなＩＣチップは、放送受信用フロントエンドＩＣとして多くの品種が供給されており、適宜利用することができる。
＜外観＞
図２は、携帯電話機１の外観の示す斜視図である。図示したように、携帯電話機１は、上部筐体２と下部筐体３とが接続されてなる折り畳み型の携帯電話機である。図２において、図１と同一の構成要素には同一の符号を付して示す。
【００１９】
表示部８４は、カラー液晶パネル、ＤＭＤ（デジタル・ミラー・デバイス）、有機ＥＬパネル、又はＰＤＰ（プラズマ・ディスプレイ・パネル）などで実現され、現在時刻、バッテリ残量、電波強度等を表示する。
操作部８５は、テンキー８５１、オフフックキー８５２、オンフックキー８５３、方向キー８５４等を含み、通話開始操作、ダイヤル操作、通話終了操作、選局操作、撮影モード開始操作、シャッター操作等をユーザから受け付ける。
【００２０】
撮像素子６０は、例えばＣＣＤ（Charge Coupled Device）型、又はＭＯＳ（Metal Oxide Semiconductor）型の固体撮像素子である。撮像素子６０は、上部筐体２に内蔵され、上部筐体２の図面裏側に設けられる開口を通して撮影を行う。メモリカード８６は下部筐体３の図面右方の側面に挿抜自在に取り付けられる。
そして、図示しないが、放送受信部５０、カメラフロントエンド部６１、ベースバンド処理部４０等を搭載する回路基板、及びスピーカ８３が、下部筐体３に内蔵される。
【００２１】
なお、ここでは携帯電話機１を折り畳み型の携帯電話機として例示したが、もちろん、ストレート型の携帯電話機として実現することもできる。
＜基本機能＞
再び図１を参照して、携帯電話機１の基本的な機能について説明する。
＜通話機能＞
通話機能は、次のようにして実現される。
【００２２】
デュプレクサ１１は、通話周波数帯の信号と放送周波数帯の信号とを分離及び混合する。デュプレクサ１２は、通話周波数帯における送信信号と受信信号とを分離及び混合する。
無線受信部２０は、アンテナ１０からデュプレクサ１１及び１２を介して通話周波数帯の受信信号を取得し、取得された受信信号をベースバンドの受信信号に復調する。ベースバンド処理部４０は、Ａ／Ｄコンバータ４１を介して前記ベースバンドの受信信号を取得し、通信処理部４５は、取得された受信信号を多重方式に応じて音声信号又は情報信号に変換する。具体的に、ＣＤＭＡ（Code Division Multiple Access）方式では逆拡散処理によって、またＴＤＭＡ（Time Division Multiple Access）方式ではタイムスロット処理によって、前記デジタル音声信号が得られる。音声処理部４６は、前記デジタル音声信号を受話音声信号に復号しレシーバ８１から発音する。
【００２３】
また、音声処理部４６は、マイク８２から取得した送話音声信号をデジタル音声信号に符号化し、通信処理部４５は、当該デジタル音声信号を多重方式に応じてデジタル送信信号に変換し、Ｄ／Ａコンバータ４４は当該デジタル送信信号をベースバンドの送信信号に変換する。
無線送信部３０は、当該ベースバンドの送信信号を通信周波数帯の送信信号に変調する。パワーアンプ３１は当該送信信号を送信レベルに増幅し、増幅された送信信号はデュプレクサ１２及び１１を介してアンテナ１０から送信される。
【００２４】
＜放送受信機能＞
放送受信機能は、次のようにして実現される。
放送受信部５０は、アンテナ１０からデュプレクサ１１を介して放送周波数帯の受信信号を取得する。可変周波数発振器５２は、例えばＰＬＬ（Phase Locked Loop）回路を用いて構成され、放送受信処理部５６から選局周波数レジスタ５９の内容に応じて与えられる選局指令によって示される周波数のローカル信号を生成する。選局周波数レジスタ５９の内容は、ユーザの選局操作に応じて更新される。
【００２５】
ミキサ５３は、ローノイズアンプ５１によって増幅された受信信号を、前記ローカル信号を用いて中間周波数帯の受信信号に変換する。検波部５４は、当該中間周波数帯の受信信号を検波して放送信号を出力し、レベル検出部５５は、当該受信信号の強さを示すレベル信号を出力する。
放送受信処理部５６は、Ａ／Ｄコンバータ４２及び４３を介して前記放送信号とレベル信号とを取得する。そして、取得された放送信号をベースバンドの放送音声信号に変換し、音声処理部４６を介してスピーカ８３から発音する。また、取得されたレベル信号とミュートしきい値テーブル５７の内容とを参照してミュートの要否を判断し、判断結果をミュートレジスタ５８に記録すると共に、ミュートレジスタ５８の内容に応じてミュート指令を検波部５４へ与えて放送信号の出力を停止させる。
【００２６】
このミュート処理については後で詳しく説明する。
＜撮影機能＞
撮影機能は、次のようにして実現される。
カメラフロントエンド部６１は、制御部７０から撮影モードの開始を示すカメラ制御信号を受け取った後、撮影モードの終了を示すカメラ制御信号を受け取るまでの間、カメラクロックを生成して撮像素子６０へ供給する。
【００２７】
撮像素子６０は、当該カメラクロックを受けて動作し、撮影された画像を表す画素信号を当該カメラクロックに同期して出力する。カメラフロントエンド部６１は、当該画素信号から、例えばＹＵＶやＪＰＥＧ（Joint Picture Expert Group）といった所定のフォーマットの画像信号を生成し、制御部７０へ出力する。制御部７０は、当該画像情報によって表される画像を表示部８４に表示する。
【００２８】
制御部７０は、ユーザのシャッター操作に応じて当該画像をメモリカード８６へ記録する。この記録中には、前記カメラクロックとは別のメモリカードクロックが生成されメモリカード８６へ供給される。
＜ミュート制御＞
次に、ミュート制御について、詳細に説明する。
【００２９】
＜ミュートしきい値テーブル＞
図３は、ミュートしきい値テーブル５７の内容例である。ミュートしきい値テーブル５７には予め、放送周波数帯に含まれる複数の周波数と、各周波数に対応するしきい値、カメラ用オフセット、及びメモリカード用オフセットが保持される。
前記周波数は、例えば日本におけるＦＭ放送用の周波数帯である７６．０ＭＨｚから１０８．０ＭＨｚまでの０．１ＭＨｚ刻みの値とする。
【００３０】
前記しきい値は、付加機能に関係するクロックが全て停止している状態で、対応する周波数における放送音声をミュートしない最小の受信信号レベルを示す。この値は、受信信号レベルのＡ／Ｄコンバータ４３による量子化値（以下レベル値と言う）で表される。Ａ／Ｄ変換が４ビットで行われる場合、レベル値は０から１５までの値を取る。例えば８０．０ＭＨｚにおける放送は、前記クロックが全て停止している状態では、レベル値が７未満ならミュートされ７以上なら音声出力される。
【００３１】
前記カメラ用オフセットは、カメラクロックの動作期間にしきい値に加算される値である。例えば８０．０ＭＨｚにおける放送は、カメラクロックの動作期間には、しきい値が６引き上げられることにより、レベル値が１３未満ならミュートされ１３以上なら音声出力される。
前記メモリカード用オフセットは、メモリカードクロックの動作期間にしきい値に加算される値である。例えば８０．０ＭＨｚにおけるしきい値は、メモリカードクロックの動作期間には２引き上げられる。
【００３２】
ミュートしきい値テーブル５７の内容はノイズレベルの実測に基づいて、例えば次のようにして、定められる。
まず、付加機能に関係するクロックが全て停止している状態で、周波数ごとのノイズレベルを測定し、測定されたノイズレベルを基準ノイズレベルとする。そして、当該基準ノイズレベルに１又は２を加えた値をしきい値とする。定常的に発生するノイズがあれば、この基準ノイズレベルで考慮される。
【００３３】
次に、付加機能に関係するクロックを一つ動作させた状態で、周波数ごとのノイズレベルを測定し、前記基準ノイズレベルからの増分をそのクロックに関するオフセットとする。オフセットは、そのクロック固有のノイズレベルを表す。この処理を個々のクロックについて行って、各クロックに関するオフセットを決定する。
図４は、各周波数について、カメラクロック動作時の実測ノイズ（細線）と、しきい値にカメラ用オフセットを加えた値（太線）とを表したグラフである。ここで、カメラクロックとして具体的に１３．７５ＭＨｚ及び１６．０ＭＨｚの２種類のクロックが同時に生成され、８０．０ＭＨｚ、８２．５ＭＨｚ、９６．０ＭＨｚ、及び９６．２５ＭＨｚ付近のレベル値のピークは、何れもカメラクロックの高調波によるものである。
【００３４】
例えば８０．０ＭＨｚにおけるしきい値は、先に測定される基準ノイズレベル（不図示）から７と決定され、カメラ用オフセットは、カメラクロック動作時の実測ノイズの当該基準ノイズレベルからの増分に基づいて＋６と決定される。
＜ミュート制御処理の詳細＞
図５は、ミュート制御処理の詳細を示すフローチャートである。
【００３５】
この処理は、作業変数ｔを用いて、放送受信中に繰り返して実行される（Ｓ１１〜Ｓ２３）。
Ａ／Ｄコンバータ４３は、レベル信号を取得してレベル値に変換する（Ｓ１２）。
放送受信処理部５６は、選局周波数レジスタ５９に保持されている周波数に対応するしきい値をミュートしきい値テーブル５７から参照し、ｔを当該しきい値とする（Ｓ１３）。
【００３６】
カメラクロックが動作中なら（Ｓ１４：ＹＥＳ）、ｔにカメラ用オフセットを加算し（Ｓ１５）、メモリカードクロックが動作中なら（Ｓ１６：ＹＥＳ）、ｔにメモリカード用オフセットを加算する（Ｓ１７）。クロックの動作状態は、例えば制御部７０によって管理されているとしてもよい。その場合、クロックが動作しているか否かは、制御部７０に問い合わせることによって判断できる。個々までの処理によってオフセットを加味したしきい値ｔが設定される。
【００３７】
その後、ｔと前記レベル値とを比較し、前記レベル値がｔ以上の場合（Ｓ１８：ＹＥＳ）、ミュートレジスタ５８の内容がミュートの作動中を示す「ＯＮ」なら（Ｓ１９：ＹＥＳ）、「ＯＦＦ」に変更してミュート指令の出力を停止する（Ｓ２０）。また、前記レベル値がしきい値未満の場合（Ｓ１８：ＮＯ）、ミュートレジスタ５８の内容がミュートの解除中を示す「ＯＦＦ」なら（Ｓ２１：ＹＥＳ）、「ＯＮ」に変更してミュート指令の出力を開始する（Ｓ２０）。
＜まとめ＞
以上説明したように、本発明のミュート制御技術は、複数の付加機能を有する携帯電話機における放送受信機能に適用され、ミュート用のしきい値を周波数ごとに管理し、特に各付加機能に関係するクロックに影響される周波数ポイントでは、当該クロックの動作中のしきい値を停止中のしきい値よりも高く設定するので、当該クロックの停止中には通常の聴取が可能となり、動作中には当該クロックによる雑音を確実にミュートできる。これにより、良好な使用感をユーザに提供する。
【００３８】
なお、以上の説明では、カメラクロック及びメモリカードクロックを放送受信にとっての雑音の一例として挙げたが、それ以外のクロックを発生するクロック発生器（例えば液晶表示器、ＵＳＢ(Universal Serial Bus)、ボイスレコーダ用のクロック発生器）や、通話及び通信情報を無線送受信するための局部発振器もまた雑音源となり得る。その場合でも、雑音源ごとに同様にオフセットを設けて、適切なミュート制御を行うことができる。
【００３９】
また、定常的に雑音が現れる周波数については、しきい値そのものを他の周波数のしきい値よりも高く設定すればよい。
＜その他の変形例＞
なお、本発明を上記の実施の形態に基づいて説明してきたが、本発明は、上記の実施の形態に限定されないのはもちろんである。以下のような場合も本発明に含まれる。
【００４０】
実施の形態で説明したミュートの要否判断を用いて局サーチするための構成及びその方法も本発明に含まれる。局サーチするための構成とは、即ち、選局周波数レジスタ５９に保持される周波数をミュート不要と判断されるまで順次増加又は減少させるための構成である。
この構成は、放送受信処理部５６がソフトウェアの機能として実現される場合には当該ソフトウェアの変更のみによって容易に得られるものであり、図１に示した構成からハードウェアに関する追加及び変更を特に必要としない。
【００４１】
図６は、放送受信処理部５６によって実行される局サーチ処理の詳細を示すフローチャートである。
この処理は、選局周波数を順次変えながら繰り返して実行される（Ｓ３１〜Ｓ３９）。現在の選局周波数についてミュートの要否を判断する処理（Ｓ３２〜Ｓ３８）は、実施の形態で説明した処理（図５のＳ１２〜Ｓ１８）と同一である。そして、レベル値がｔ以上なら（Ｓ３８：ＹＥＳ）、繰り返しを抜けて現在の選局周波数で放送を受信する（Ｓ４０）。
【００４２】
この構成によって、付加機能に関係するクロックの停止中には通常のサーチが行われ、動作中には当該クロックの雑音でサーチが停止する不都合を確実に回避できる。
本発明は、実施の形態で説明したステップを、携帯電話機を制御するためのＣＰＵを用いて実行するためのコンピュータプログラムであるとしてもよいし、前記プログラムを表すデジタル信号であるとしてもよい。
【００４３】
また、本発明は、前記プログラム又は前記デジタル信号を記録したコンピュータ読取り可能な記録媒体、例えば、フレキシブルディスク、ハードディスク、ＣＤ、ＭＯ、ＤＶＤ、ＢＤ、半導体メモリ等であるとしてもよい。
また、本発明は、電気通信回線、無線又は有線通信回線、若しくはインターネットに代表されるネットワーク等を経由して伝送される前記コンピュータプログラム又は前記デジタル信号であるとしてもよい。
【００４４】
また、前記プログラム又は前記デジタル信号は、前記記録媒体に記録されて移送され、若しくは、前記ネットワーク等を経由して移送され、独立した他の携帯電話機において実施されるとしてもよい。
【産業上の利用可能性】
【００４５】
本発明に係る携帯電話機は、放送受信機能を有する多機能携帯電話機として利用できる。
【図面の簡単な説明】
【００４６】
【図１】本実施の形態に係る携帯電話機の全体構成を示す機能ブロック図である。
【図２】当該携帯電話機の外観を示す斜視図である。
【図３】ミュートしきい値テーブルの内容例である。
【図４】実測ノイズとしきい値との関係を示すグラフである。
【図５】ミュート制御処理を示すフローチャートである。
【図６】放送局サーチ処理を示すフローチャートである。
【符号の説明】
【００４７】
１    携帯電話機
２    上部筐体
３    下部筐体
１０    アンテナ
１１、１２  デュプレクサ
２０    無線受信部
３０    無線送信部
３１    パワーアンプ
４０    ベースバンド処理部
４１〜４３  Ａ／Ｄコンバータ
４４    Ｄ／Ａコンバータ
４５    通信処理部
４６    音声処理部
５０    放送受信部
５１    ローノイズアンプ
５２    可変周波数発振器
５３    ミキサ
５４    検波部
５５    レベル検出部
５６    放送受信処理部
５７    値テーブル
５８    ミュートレジスタ
５９    選局周波数レジスタ
６０    撮像素子
６１    カメラフロントエンド部
６２    画像処理部
７０    制御部
８１    レシーバ
８２    マイク
８３    スピーカ
８４    表示部
８５    操作部
８６    メモリカード
８５１    テンキー
８５２    オフフックキー
８５３    オンフックキー
８５４    方向キー
【図１】
2005341407.tif 000003
【図２】
2005341407.tif 000004
【図３】
2005341407.tif 000005
【図４】
2005341407.tif 000006
【図５】
2005341407.tif 000007
【図６】
2005341407.tif 000008